(57)【要約】      （修正有）【課題】  作業者が携帯して手軽に手動操作可能で、液垂れや周囲への飛散を発生させることなく容易に二液型接着剤や二液型塗料等の二液型塗布剤を塗布することができ、しかもメンテナンス性の良い二液型塗布剤塗布装置を提供する。【解決手段】  プランジャ９ａ，９ｂとシリンダ１１ａ，１１ｂで構成される２台のポンプ部１，２にそれぞれ二液型塗布剤の薬液を収納した薬液容器１４ａ，１４ｂを接続し、各薬液容器１４ａ，１４ｂから各シリンダ１１ａ，１１ｂ内に薬液を小出しにし、手で操作することができる引き金５に連動して、両ポンプ部１，２のプランジャ９ａ，９ｂを同時に前進させて、各シリンダ１１ａ，１１ｂ内の薬液を高圧で押し出し、混合部２７で合流混合させた後、ノズル２２から適宜の大きさの液滴として飛び出させることができる二液型塗布剤塗布装置とする。【選択図】図３
2006175382.tif 000002
【特許請求の範囲】
【請求項１】
それぞれプランジャとシリンダを備え、各プランジャが同時に進退される２台のポンプ部と、
二液型塗布剤の一方の薬液を収納して一方のポンプ部のシリンダに接続され、プランジャの後退時に、収納した一方の薬液を該シリンダに小出しする薬液容器と、
二液型塗布剤の他方の薬液を収納して他方のポンプ部のシリンダに接続され、プランジャの後退時に、収納した他方の薬液を該シリンダに小出しするもう一つの薬液容器と、
プランジャの前進時に両ポンプ部のシリンダからそれぞれ押し出される両薬液を、当該両薬剤を合流させる混合部を介して吐出するノズルとを備えていることを特徴とする二液型塗布剤塗布装置。
【請求項２】
前記両薬液容器が、各薬液容器内の薬液に押し出し圧力が加えられた状態で、それぞれ薬液容器への逆流を防止する逆止弁を介して各シリンダに接続されていることを特徴とする請求項１に記載の二液型塗布剤塗布装置。
【請求項３】
前記両薬液容器が、各薬液容器内の薬液に押し出し圧力が加えられた状態で、それぞれ、プランジャの後退時に開放され、前進時に閉鎖される薬液供給路を介して各シリンダに接続されていることを特徴とする請求項１に記載の二液型塗布剤塗布装置。
【請求項４】
前記両薬液容器が押し潰し可能な容器で、この押し潰し可能な容器を押し潰し方向に押圧する加圧機構により、前記各薬液容器内の薬液に押し出し圧力が加えられていることを特徴とする請求項３に記載の二液型塗布剤塗布装置。
【請求項５】
前記可撓性容器がジャバラ容器であることを特徴とする請求項４に記載の二液型塗布剤塗布装置。
【請求項６】
前記各シリンダーと混合部との間に、それぞれ、各薬液容器内の薬液に加えられた押し出し圧力を超える圧力となった時に薬液を流過させるリリーフ弁が介在されていることを特徴とする請求項２〜５のいずれか１項に記載の二液型塗布剤塗布装置。
【請求項７】
複数のノズルを備えていることを特徴とする請求項１〜６のいずれか１項に記載の二液型塗布剤塗布装置。
【請求項８】
両プランジャを手動で前進させるための引き金またはレバーを備えていることを特徴とする請求項１〜７のいずれか１項に記載の二液型塗布剤塗布装置。
【請求項９】
両プランジャを前進させるための電動駆動装置または空気圧駆動装置を備えていることを特徴とする請求項１〜７のいずれか１項に記載の二液型塗布剤塗布装置。
【発明の詳細な説明】
【技術分野】
【０００１】
本発明は、例えば二液型接着剤や二液型塗料等の二液型塗布剤を、周囲への飛散や液垂れを最小限の抑えながら、ノズルから適度な径の液滴状にして空気中へ飛ばして対象物に付着させることが可能で、しかも携帯に便利で手動操作可能な二液接着剤塗布装置に関する。
【背景技術】
【０００２】
コンクリート等の構造物は径年にともなう材料自体の劣化・構造物のゆがみ・地震や車両の振動等によって、大小のクラック（ひび、割れ目）が発生してしまうことは避けられないことから、定期的なチェックやメンテナンスが不可欠である。鉄道や道路のトンネルにおいては、クラックによるコンクリート破片の落下は重大な事故に結びつくために、重要なメンテナンス項目となっている。特に、新幹線をはじめとする鉄道用のトンネルにおいては、高速で走行する車両による振動はもちろん、進入時の加圧と通過後の負圧が加わるために、クラックの発生と進行が大であり、コンクリート破片の落下対策が重要課題となっている。
【０００３】
一般に、コンクリート壁面に発生したクラックの補修には、刷毛によって接着剤を塗布することや、高圧ポンプで接着剤を噴霧して吹き付けることが行われているので、これを鉄道用のトンネルのメインテナンスに利用することが考えられる。
【０００４】
また、携帯に便利な二液型接着剤塗布装置として、手持ち式のガンタイプで、引き金を引くことによって、二液接着剤を別々に収納した２つのシリンダーやチューブからそれぞれ薬液を押し出し、合流させてノズルを介して押し出せるようにしたものが知られている（例えば、特許文献１および２参照）。
【０００５】
【特許文献１】特開平７−１６３９２５号公報
【特許文献２】特開平１０−２１６５９３号公報
【発明の開示】
【発明が解決しようとする課題】
【０００６】
しかしながら、刷毛を用いて接着剤を塗布する方法では、トンネルの天井部を塗る場合に、接着剤が刷毛あるいは塗った個所から垂れてしまって、作業者に垂れ落ちて作業者の健康上好ましくない問題や、線路上に垂れ落ちてしまって線路の保安上に支障が起きてしまう等の問題が発生することから、採用することはできない。また、二液型接着剤の塗布に際しては、二液を作業の直前に混合するが、混合した液は時間の経過とともに硬化が進行してしまうため、短時間で使い切ってしまわなければならない問題や、道具類の洗浄やメンテナンスに多大の時間・手間がかかる問題もある。
【０００７】
また、接着剤を高圧ポンプで噴霧して吹き付ける方法は、比較的広い面に接着剤を塗布する方法として一般的に利用されるが、噴霧された接着剤の３０〜５０％前後はコンクリート壁面に付着しないで飛散してしまう。その結果、トンネル内の他の設備や機器類に悪影響を及ぼしたり、作業者が接着剤の噴霧微粒子や接着剤成分のガスを吸い込んで健康上に好ましくない問題があり、この方法も採用することはできない。また、特に鉄道用のトンネルでは、メンテナンスが可能な時間は運行が停止する深夜の数時間に限られると共に、暗く足場も悪いため、高圧ポンプや周辺機材の搬入および撤去の作業が困難で、動力源の確保もしにくい問題もある。
【０００８】
一方、上記従来の二液型接着剤塗布装置は、いずれも、引き金を引くことによってピストンを前進させたりチューブを押圧して、シリンダーやチューブ内の二種類の薬液を押し出し、このシリンダーやチューブからの押し出し力で、両者を混合した後にノズルから吐出させるもので、比較的粘度の高い接着剤をノズルからひも状に押し出すことを主眼に置いたものとなっている。このため、ノズル先端をクラックに押し当てて塗布を行わなければならず、無数に発生している大小のクラックの個々に接着剤を塗布したり流し込むには非能率な作業となる問題がある。
【０００９】
ところで、コンクリート壁面に発生したクラック部に対して効果的な接着剤としては、日本道路公団「コンクリート剥落防止マニュアル」の「ひび割れ含侵材料」品質規格に適合する二液型接着剤がある。このタイプの接着剤の一例としては、電気化学工業製のコンクリートひび割れ含侵注入材／型番ＤＫ５５０−００３が知られている。この接着剤は、二液タイプのアクリル系含侵注入材料で、基材液（主剤）と硬化促進を主とする液（硬化剤）を１：１で混合し、粘度２５０ｍＰａ・ｓで用いられる。この二液型接着剤は、コンクリート壁面に発生したクラック部に塗布されると、直ちにクラック部に含侵した後に硬化するので、効率の良い作業が行える。
【００１０】
上記のような低粘度で塗布される二液型接着剤の場合、刷毛塗りや噴霧による塗布が適しているが、前述のように、鉄道用のトンネルについてはこれらの手法は採用することができない。また、前記従来の二液接着剤塗布装置は、前述したように、比較的粘度の高い接着剤をひも状に吐出することを主眼に置いたものであることから、上記のような低粘度の二液型接着剤について用いると、ノズルから混合された接着剤が連続的に流れ出る状態となってしまい、目的の箇所に塗布しにくく、しかも多量の液垂れを生じてしまうことになる。
【００１１】
本発明は、上記従来の問題点に鑑みてなされたもので、作業者が携帯して手軽に手動操作可能で、液垂れや周囲への飛散を発生させることなく容易に二液型接着剤や二液型塗料等の二液型塗布剤を塗布することができ、しかもメンテナンス性の良い二液型塗布剤塗布装置を提供することを目的とする。また、本発明は、二液型接着剤を、トンネル内のコンクリート壁面に無数に発生している大小のクラック部に手軽に効率よく付着させることができるようにし、もってトンネルメインテナンスの作業性を大幅に向上させることができるようにすることをも目的とする。
【課題を解決するための手段】
【００１２】
本発明は、携帯しやすい手動操作可能な小型の装置にて、二液型塗布剤を噴出直前に混合し、適宜の径の液滴として飛ばして目標箇所に付着させることができるようにすることによって上記目的を達成するもので、
それぞれプランジャとシリンダを備え、各プランジャが同時に進退される２台のポンプ部と、
二液型塗布剤の一方の薬液を収納して一方のポンプ部のシリンダに接続され、プランジャの後退時に、収納した一方の薬液を該シリンダに小出しする薬液容器と、
二液型塗布剤の他方の薬液を収納して他方のポンプ部のシリンダに接続され、プランジャの後退時に、収納した他方の薬液を該シリンダに小出しするもう一つの薬液容器と、
プランジャの前進時に両ポンプ部のシリンダからそれぞれ押し出される両薬液を、当該両薬剤を合流させる混合部を介して吐出するノズルとを備えていることを特徴とする二液型塗布剤塗布装置を提供するものである。
【００１３】
また、上記本発明は、前記両薬液容器が、各薬液容器内の薬液に押し出し圧力が加えられた状態で、それぞれ薬液容器への逆流を防止する逆止弁を介して各シリンダに接続されていること、
前記両薬液容器が、各薬液容器内の薬液に押し出し圧力が加えられた状態で、それぞれ、プランジャの後退時に開放され、前進時に閉鎖される薬液供給路を介して各シリンダに接続されていること、
前記両薬液容器が押し潰し可能な容器で、この押し潰し可能な容器を押し潰し方向に押圧する加圧機構により、前記各薬液容器内の薬液に押し出し圧力が加えられていること、
前記可撓性容器が蛇腹容器であること、
前記各シリンダーと混合部との間に、それぞれ、各薬液容器内の薬液に加えられた押し出し圧力を超える圧力となった時に薬液を流過させるリリーフ弁が介在されていること、
複数のノズルを備えていること、
両プランジャを手動で前進させるための引き金またはレバーを備えていること、
両プランジャを前進させるための電動駆動装置または空気圧駆動装置を備えていること、
をその好ましい態様として含むものである。
【発明の効果】
【００１４】
本発明の二液型塗布剤塗布装置は、薬液容器に収納された薬液を、一旦シリンダ内に小出しにした後、この少量の小出しされた薬液をプランジャで加圧して噴出させるものであることから、大きな力を加えることなく薬液をノズルから勢いよく飛び出させることができる。従って、シリンダに小出しする薬液の量を調整することにより、薬液を適宜の大きさの液滴として飛び出させることができ、離れた位置（例えば０．２〜１．５ｍ離れた位置）から薬液の液滴を飛ばすことで、狙った箇所に付着させることができる。また、適宜の大きさの液滴として、目標めがけて飛ばして付着させることができるので、液垂れを生じたり、周囲に薬液を飛散させてしまうことがなく、薬液の無駄な消費がないと共に、作業環境を悪化させたり周囲の設備や機器類などへの付着も防止することができる。
【００１５】
また、上記のように、本発明の二液型塗布剤塗布装置におけるプランジャは、シリンダに小出しにした薬液を加圧して飛び出させるものであって、薬液を液滴として噴出させるために多量の薬液を加圧する必要がない。このため、作動にさほど大きな力を要せず、手動でも容易にプランジャを操作できるので、携帯に便利な小型の装置とすることができる。また、プランジャを電動駆動装置または空気圧駆動装置によって作動させる場合にも、小型の駆動装置で作動させることが可能であるので、やはり携帯しやすい小型化が可能である。従って、大型の装置の搬入が困難な鉄道用のトンネルなどのメインテナンスに最適な装置とすることができる。
【００１６】
更に、本発明の二液型塗布剤塗布装置は、２種類の薬液をノズルから飛び出させる直前で混合部で合流混合することができる。このため、薬液容器内の薬液が残留した状態で使用を中断する場合でも、混合部より薬液容器側では硬化を生じないので、中断時に混合部とノズル部内の薬液を取り除いておくか、混合部とノズル部を取り外して付け替えることで再使用が可能となり、装置自体のメインテナンスも容易である。
【発明を実施するための最良の形態】
【００１７】
（第１の例）
図１〜図３に基づいて、本発明の第１の例に係る二液型塗布剤塗布装置を説明する。
【００１８】
図１は本発明の第１の例に係る二液型塗布剤塗布装置の外観図で、（ａ）は平面図、（ｂ）は側面図、図２は混合部とノズル部分の拡大横断面図、図３は一部を省略した図１のＸ−Ｘ拡大部分断面図である。
【００１９】
図１に示されるように、ポンプ部１とポンプ部２の中間部の下には一体にハンドル３が取付けられていて、ハンドル３には、支持軸４を支点として前後に揺動可能で、先端が前方に突き出る方向にバネ８によって押圧された引き金５が取り付けられている。引き金５には、引き金５の操作に連動して上下する連結軸６が連結されていると共に、連結軸６の上部にはプレート７が取付けられている。連結軸６の周りには、ポンプ部１，２の上面とプレート７間に挟まれたコイル状のバネ２５が差し込まれている。従って、ハンドル３を握って引き金５をバネ８，２５に抗して引くと、連結軸６が下方に引かれ、プレート７も下方に下がる。また、引き金５を引く力を緩めると、バネ８，２５によって引き金５が復帰すると共に、プレート７も元の位置に復帰するものとなっている。バネ８とバネ２５は、引き金５と連結軸６が連動する構造としておけば、いずれか一方のみでもよい。
【００２０】
次に、内部構造を図３に基づいて説明する。尚、図３は、ポンプ部１側の拡大部分断面図であるが、ポンプ部２側も同じ構造であることから、部材の符号としては、ポンプ部１側の部材を示す符号に「ａ」を付記し、ポンプ部２側の部材を示す符号に「ｂ」を付記して並記する。
【００２１】
図３に示されるように、ポンプ本体１０ａ，１０ｂには、シリンダ１１ａ，１１ｂに精度良く嵌合させたプランジャ９ａ，９ｂが差し込まれていて、プレート７の動きとともにプランジャ９ａ，９ｂは上肢点Ｈと下肢点Ｌ間を上下するものとなっている。ポンプ本体１０ａ，１０ｂの後部には、容器保護筒１５ａ，１５ｂが取り外し可能に取り付られている。容器保護筒１５ａ，１５ｂ内には、二液型塗布剤の一方（他方）の薬剤を収納した薬液容器１４ａ，１４ｂが納められている。
【００２２】
本例における薬液容器１４ａ，１４ｂは、軸方向に伸縮可能なジャバラ容器で、その口部がポンプ本体１０ａ，１０ｂの接続部１３ａ，１３ｂに着脱可能に接続されている。接続部１３ａ，１３ｂの内部には、シリンダ１１ａ，１１ｂの中間部上肢点Ｈ寄りに通じる薬液供給路１２ａ，１２ｂが形成されており、薬液容器１４ａ，１４ｂ内がこの薬液供給路１２ａ，１２ｂを介してシリンダ１１ａ，１１ｂに連通している。
【００２３】
容器保護筒１５ａ，１５ｂの後部には、薬液容器１４ａ，１４ｂの底部を前方に押圧し、薬液容器１４ａ，１４ｂ内の薬液に押し出し圧力を加え、薬液を薬液供給路１２ａ，１２ｂを介してシリンダ１１ａ，１１ｂへ送り込むための加圧機構として、加圧バネ１６ａ，１６ｂと加圧板１７ａ，１７ｂが取付けられている。この加圧板１７ａ，１７ｂには引き紐２４ａ，２４ｂが取付けられていて、新しい薬液容器１４ａ，１４ｂを接続部１３ａ，１３ｂ取り付けた場合、引き紐２４ａ，２４ｂを引いて加圧バネ１６ａ，１６ｂを圧縮し、保護筒１５ａ，１５ｂの後部内に縮めた状態にしてから、保護筒１５ａ，１５ｂをポンプ本体１０ａ，１０ｂに取り付け、取り付け完了後に引き紐２４ａ，２４ｂを緩めることで、加圧バネ１６ａ，１６ｂで薬液容器１４ａ，１４ｂを加圧することができるようになっている。
【００２４】
シリンダ１１ａ，１１ｂの下肢点Ｌ側の端部には、シリンダ１１ａ，１１ｂから押し出される薬液を、ポンプ本体１０ａ，１０ｂの前方に設けられたパイプ２０ａ，２０ｂへと導く薬液流出路１８ａ，１８ｂが接続されている。この薬液流出路１８ａ，１８ｂには、バネ２６ａ，２６ｂで閉鎖荷重が加えられた弁構造を有し、薬液容器１４ａ，１４ｂ内の薬液に加えられた押し出し圧力を超える圧力となった時に流路を開放するリリーフ弁１９ａ，１９ｂが介在されており、上記押し出し圧力により、引き金５の操作に関係なく薬液流出路１８ａ，１８ｂから流れ出ることを防止している。また、パイプ２０ａ，２０ｂは、薬液容器１４ａ，１４ｂから、薬液供給路１２ａ，１２ｂ、シリンダ１１ａ，１１ｂ、薬液流出路１８ａ，１８ｂおよびパイプ２０ａ，２０ｂを介して送られてくる両薬液を合流させて混合する混合部２７に接続されている。
【００２５】
混合部２７は、図３に示されるように、前面部に単一または複数のノズル２２が接続され、内部が混合室２１となった小型の箱形をなし、パイプ２０ａ，２０ｂが相対向する位置に接続されている。ノズル２２としては、細管を用いることができる。また、混合部２７は、パイプ２０ａ，２０ｂに介在するジョイント部２３ａ，２３ｂにより、着脱可能となっている。混合部２７は、内部で混合された二液型塗布剤が時間の経過と共に硬化するため、適時交換する必要があるが、このジョイント部２３ａ，２３ｂによって新しい混合部２７に容易に交換が可能であって、取り外した混合部７は溶剤に漬けること等によって洗浄すれば再使用が可能である。
【００２６】
以上のような構成によって、引き金５が作業者の手によって引かれると、支点４に近い位置で引き金５に連結されている連結軸６が下方に引かれてプレート７が下がり、プランジャ９ａ，９ｂを押し下げる。プランジャ９ａ，９ｂの下降によって、薬液容器１４ａ，１４ｂから押し出されてシリンダ１１ａ，１１ｂ内に溜められていた薬液が加圧され、リリーフ弁１９ａ，１９ｂを押し開いて、薬液流出路１８，１８ｂおよびパイプ２０ａ，２０ｂを介して混合部２７に流れ込む。パイプ２０ａ，２０ｂから混合部２７へ流入した両薬液は激しくぶつかり合って混合され、混合部２７の前方に接続されているノズル２２から適度な粒径と吐出スピードで放出される。引き金５の引き絞りを緩めると、バネ８，２５によって引き金５が復帰すると共に、プレート７も元の位置に復帰し、これに伴ってプランジャ９ａ，９ｂが上昇して、シリンダ１１ａ，１１ｂ内に再び薬液が押し出されて次の操作に備える。
【００２７】
上述のように、本例の二液型塗布剤塗布装置は、手でハンドル３を持って引き金５を引くと、二種類の薬液用のポンプ部（プランジャポンプ）１，２が同時に作動して、各々のポンプ部１，２に接続した薬液容器１４ａ，１４ｂから押し出された薬液を高圧に加圧する。そして、加圧された各薬液が対向位置から混合部２７に流れ込んで混合され、混合部２７の前面に設けられたノズル２２から空気中へ放出される。また、混合部２７は、ジョイント部２３ａ，２３ｂによってポンプ部１，２から取り外しが容易で、混合した二液型塗布剤が硬化する前に簡単に交換ができるものとなっている。
【００２８】
本例の二液型塗布剤塗布装置においては、引き金５と連結軸６の取り付け位置が支点４に近く、「てこの作用」が働く関係となっていて、手で加えた力が増幅されてプランジャ９ａ，９ｂへ伝わるため、例えば粘度２５０ｍＰａ・ｓの薬液を使用した場合、プランジャ９ａ，９ｂの加圧によってシリンダ１１内の圧力は２０〜５０ＭＰａ近くまで上昇させることが可能である。ノズル２２と塗布面の距離は、圧力２０ＭＰａでは０．２〜１．０ｍ、圧力５０ＭＰａでは０．５〜１．５ｍが目安となる。従って、プランジャ９ａ，９ｂの１ストロークによって適宜の量（例えば１ミリリットル前後）の薬液を吐出するように設定しておけば、上記のように手で引き金５を握るだけで、薬剤を各々２０〜５０ＭＰａ近くの圧力まで容易に上昇させ、両者を混合してノズル２２から０．２〜１．５ｍもの距離を液滴として飛ばすことが可能である。
【００２９】
ノズル２２の形態や寸法については、ノズルメーカーや塗布機械メーカー等の各種ノズルでテストしたが、最終的には内径が０．３〜２．０ｍｍ、長さが１０〜５０ｍｍの細いステンレスパイプを用いると、混合された薬液を適度な粒経と吐出スピードで放出しやすく、ノズル２２の先端から放出後に薬液が霧化や飛散あるいは液滴落下してしまうことを最小限としながら、０．２〜１．５ｍ離れたコンクリート壁面のクラック部を狙って付着させることができるので好ましい。また、ノズル２２の本数は二液型塗布剤を放出する距離や塗布しようとする箇所（例えばクラック部）の広さによって、１〜５本程度に設定することが可能である。
【００３０】
例えば、０．２〜１．０ｍ離れたクラック部を狙う場合は、ノズル２２として、２０ｍｍの長さのステンレスパイプを３本または４本使用すると好ましい結果が得られる。また、０．５〜１．５ｍ離れたクラック部を狙う場合は、ノズル２２として、２５ｍｍの長さのステンレスパイプを４本または５本使用すると好ましい結果が得られる。
【００３１】
本例の二液型塗布剤塗布装置の混合部２７においては、二種類の薬液が各々２０〜５０ＭＰａ近くの圧力となって、直径５ｍｍ前後の小スペースの混合室２７に、その対向位置に接続されたパイプ２０ａとパイプ２０ｂから瞬間的に高速で流れ込むため、両薬液が激しくぶつかり合って十分均一に混合が行われる。この結果、従来の装置に用いられている、長く複雑な構造の混合装置が不要となり、装置の小型化、製造コストの低減およびメンテナンスの手間軽減に大きく寄与している。また、プランジャ９ａ，９ｂとシリンダ１１ａ，１１ｂとの間は、加圧する薬剤に適度な粘度があることによって、特にシール部材を配置する必要もないことが確認されており、この点も装置のコンパクトさやコストダウンに大きく寄与している。
【００３２】
本例の二液型塗布剤塗布装置においては、プランジャ９ａ，９ｂの上昇時に薬液供給路１２ａ，１２ｂが開放されて薬液がシリンダ１１ａ，１１ｂ内に供給され、プランジャ９ａ，９ｂの降下時に薬液供給路１２ａ，１２ｂが閉鎖されてシリンダ１１ａ，１１ｂ内の薬液を加圧できるよう、薬液供給路１２ａ，１２ｂは上肢点Ｈ寄りのシリンダ１１ａ，１１ｂの側壁に開口している。この代わりに、薬液供給路１２ａ，１２ｂに、シリンダ１１ａ，１１ｂから薬液容器１４ａ，１４ｂへの薬液の逆流を防止する逆止弁（図示されていない）を設けておくこともできる。
【００３３】
薬液容器１４ａ，１４ｂに押し出し圧力を加える機構としては、本例の押し潰し可能なジャバラ容器の薬剤容器１４ａ，１４ｂと、加圧バネ１６ａ，１６ｂおよび加圧板１７ａ，１７ｂによる加圧機構との組み合わせの他、円筒状の薬剤容器１４ａ、１４ｂと、該円筒の内周に嵌合するピストンおよび該ピストンを押すバネによる加圧機構との組み合わせや、押し潰し可能なチューブ状等の可撓性を有する薬剤容器１４ａ，１４ｂと、密閉された容器保護筒１５ａ，１５ｂおよび該容器保護筒１５ａ，１５ｂへの圧縮ガス供給機構による加圧機構との組み合わせ等を用いることができる。
【００３４】
（第２の例）
図４に基づいて、本発明の第２の例に係る二液型塗布剤塗布装置を説明する。
【００３５】
図４は本発明の第２の例に係る二液型塗布剤塗布装置の側面図で、図１〜図３と同じ符号は同様の部材を示す。
【００３６】
図４に示されるように、本例の装置も、第１の例で説明した内部構造のポンプ部１，２、容器保護筒１５ａ，１５ｂ、パイプ２０ａ，２０ｂ、混合部２７およびノズル２２を備えたものとなっている。
【００３７】
ポンプ本体１０ａ，１０ｂの下側には、後方に伸びるハンドル５０が取付けられている。一方、ポンプ本体１０ａ，１０ｂの上側前方には支持軸５２が設けられ、この支持軸５２にはポンプ本体１０ａ，１０ｂの後方に伸びる上下に揺動可能なレバー５１が取り付けられており、レバー５１を図中一点鎖線で示される位置まで押し下げることで、プランジャ９ａ，９ｂを上方へ押圧しているバネ５３ａ，５３ｂに抗してプランジャ９ａ，９ｂを同時に押し下げることができるようになっている。プランジャ９ａ，９ｂを押し下げると、第１の例と同様にして、混合部２７で混合された薬液がノズル２２から放出されることになる。
【００３８】
本例では、プランジャ９ａ，９ｂにはより大きな荷重あるいはストロークを与えることが可能なため、プランジャ９ａ，９ｂの直径やストロークを大きくして、１回の操作で多量の二液型塗布液を放出することや、より離れた目標位置に二液型塗布液を付着させることが可能となる。
【００３９】
（第３の例）
図５に基づいて、本発明の第３の例に係る二液型塗布剤塗布装置を説明する。
【００４０】
図５は本発明の第３の例に係る二液型塗布剤塗布装置の側面図で、図１〜図３と同じ符号は同様の部材を示す。
【００４１】
図５に示されるように、本例の二液型塗布剤塗布置は、第１の例に係る二液型塗布剤塗布装置における引き金５の代わりに、携帯性に支障の無い大きさと重さの小型駆動装置６０をハンドル３に組み込んだものである。小型駆動装置６０は、電池によって作動する電動駆動装置又は圧縮空気によって作動する空気圧駆動装置を用いることができ、スイッチ６１を引くと、電池あるいは圧縮空気によって駆動される小形モータあるいは小形シリンダ等の駆動装置によって連結軸６の軸端６２が下方に引かれて、プランジャ９ａ，９ｂを作動させるように構成されており、図１の実施例の引き金５の代わりに手で小型駆動装置６０のスイッチ６１を操作することによって、第１の例に係る二液型塗布剤塗布装置と同等の機能・性能を発揮できるものとなっている。
【００４２】
以上説明した本発明の二液型塗布剤塗布装置は、プランジャの直径やノズルの径・本数を変更して、混合された二液型塗布剤をノズル先端から勢い良く放出することなく、ノズルを深い大きなクラック部に差し込んで、二液型塗布剤（二液型接着剤）をラック内部に充填するといった用途にも適用できるものである。
【図面の簡単な説明】
【００４３】
【図１】図１は本発明の第１の例に係る二液型塗布剤塗布装置の外観図で、（ａ）は平面図、（ｂ）は側面図である。
【図２】混合部とノズル部分の拡大横断面図である。
【図３】一部を省略した図１のＸ−Ｘ拡大部分断面図である。
【図４】本発明の第２の例に係る二液型塗布剤塗布装置の側面図である。
【図５】本発明の第３の例に係る二液型塗布剤塗布装置の側面図である。
【符号の説明】
【００４４】
１，２  ポンプ部
３  ハンドル
４  支持軸
５  引き金
６  連結軸
７  プレート
８  バネ
９ａ，９ｂ  プランジャ
１０ａ，１０ｂ  ポンプ本体
１１ａ，１１ｂ  シリンダ
１２ａ，１２ｂ  薬液供給路
１３ａ，１３ｂ  接続部
１４ａ，１４ｂ  薬液容器
１５ａ，１５ｂ  容器保護筒
１６ａ，１６ｂ  加圧バネ
１７ａ，１７ｂ  加圧板
１８ａ，１８ｂ  薬液流出路
１９ａ，１９ｂ  リリーフ弁
２０ａ，２０ｂ  パイプ
２１  混合室
２２  ノズル
２３ａ，２３ｂ  ジョイント部
２４ａ，２４ｂ  引き紐
２５  バネ
２６ａ，２６ｂ  バネ
２７  混合部
５０  ハンドル
５１  レバー
５２  支持軸
５３ａ，５３ｂ  バネ
６０  小型駆動装置
６１  スイッチ
６２  軸端
【図１】
2006175382.tif 000003
【図２】
2006175382.tif 000004
【図３】
2006175382.tif 000005
【図４】
2006175382.tif 000006
【図５】
2006175382.tif 000007